(57)【要約】【課題】バッテリ式の携帯マルノコでは、通常バッテリパックをその長手方向を前後方向に沿わせた縦向きでハンドル後部に取り付ける構成であるので、前後方向のコンパクト化を図ることが困難であった。本発明では、ハンドル部の前後方向のコンパクト化を図ることによりその取り扱い性を高め、また重量バランスを良くすることを目的とする。【解決手段】ハンドル部１１の後部に対してバッテリパック２０をその長手方向Ｌを加工進行方向に対して直交させた横向きで、かつ横方向にスライドさせて取り付け、取り外しする構成とする。これによりハンドル部工具のコンパクト化を図ってその取り扱い性を高めるとともに重量バランスを良くする。【選択図】図１
2014079812.tif 000002
【特許請求の範囲】
【請求項１】
工具本体に、使用者が把持するハンドル部と電源としてのバッテリパックとを備えた手持ち式の切断機であって、
前記バッテリパックは、その長手方向を加工進行方向に対して交差させた横向きにして配置され、前記ハンドル部の後部かつ下部に対してスライドさせて取り付け、取り外し可能な切断機。
【請求項２】
請求項１に記載の切断機であって、前記バッテリパックは、前記加工進行方向に対して交差する横方向にスライドさせて取り付け、取り外し可能な切断機。
【請求項３】
請求項１または請求項２に記載の切断機であって、
切断材に対して載置可能にされるベースと、該ベースにより支持される工具本体と、を有した携帯マルノコとして構成され、
前記工具本体は、該ベースの上側に配置される駆動部と、該駆動部の上側に配置される前記ハンドル部と、を備え、
前記駆動部は、前記バッテリパックからの電力により回転駆動力を生じる電動モータと、該電動モータの回転駆動軸として構成される第１回転軸と、該第１回転軸と一体回転するモータギヤと、該モータギヤと噛合する第１減速ギヤと、該第１減速ギヤの回転軸として構成される第２回転軸と、該第２回転軸と一体回転する第２減速ギヤと、該第２減速ギヤと噛合する第３減速ギヤと、該第３減速ギヤの回転軸として構成される第３回転軸と、を備え、
前記第１回転軸の配設位置および前記第３回転軸の配設位置は、前記ハンドル部が設けられる前記加工進行方向に沿った範囲に収まるように設定されていることを特徴とする切断機。
【請求項４】
請求項１または請求項２に記載の切断機であって、
切断材に対して載置可能にされるベースと、該ベースにより支持される工具本体と、を有した携帯マルノコとして構成され、
前記工具本体は、該ベースの上側に配置される駆動部と、該駆動部の上側に配置される前記ハンドル部と、を備え、
前記駆動部は、前記バッテリパックからの電力により回転駆動力を生じる電動モータと、該電動モータの回転駆動軸として構成される第１回転軸と、該第１回転軸と一体回転するモータギヤと、該モータギヤと噛合する第１減速ギヤと、該第１減速ギヤの回転軸として構成される第２回転軸と、該第２回転軸と一体回転する第２減速ギヤと、該第２減速ギヤと噛合する第３減速ギヤと、該第３減速ギヤの回転軸として構成される第３回転軸と、を備え、
前記第１回転軸の配設位置および前記第３回転軸の配設位置は、取り付けられた前記バッテリパックの重心位置よりも前記加工進行方向に沿った前側に位置するように設定され、且つ前記ハンドル部が設けられる前記加工進行方向に沿った範囲に収まるように設定されていることを特徴とする切断機。
【請求項５】
請求項１または請求項２に記載の切断機であって、
切断材に対して載置可能にされるベースと、該ベースにより支持される工具本体と、を有した携帯マルノコとして構成され、
前記工具本体は、該ベースの上側に配置される駆動部と、該駆動部の上側に配置される前記ハンドル部と、を備え、
前記駆動部は、前記バッテリパックからの電力により回転駆動力を生じる電動モータと、該電動モータの回転駆動軸として構成される第１回転軸と、該第１回転軸と一体回転するモータギヤと、該モータギヤと噛合する第１減速ギヤと、該第１減速ギヤの回転軸として構成される第２回転軸と、該第２回転軸と一体回転する第２減速ギヤと、該第２減速ギヤと噛合する第３減速ギヤと、該第３減速ギヤの回転軸として構成される第３回転軸と、を備え、
前記第２回転軸の配設位置は、前記第１回転軸の配設位置および前記第３回転軸の配設位置よりも前記加工進行方向に沿った前側に位置するように設定され、且つ前記ハンドル部に設けられる滑り止め被覆部の前端位置よりも前記加工進行方向に沿った後側に位置するように設定されていることを特徴とする切断機。
【発明の詳細な説明】
【技術分野】
【０００１】
この発明は、主として手持ち式の電動工具であって、バッテリ（直流電源）を電源とする例えば切断工具や穴明け工具等の切断機に関する。
【背景技術】
【０００２】
下記の特許文献には、バッテリを電源とする切断工具に関する技術が開示されている。この切断工具は、携帯マルノコと称されるもので、切断材の上面に当接するベースと、ベースの上面側に支持された工具本体を備えており、工具本体は円形の鋸刃とこれを回転させる電動モータと使用者が移動操作する際に把持するハンドル部を備えている。
下記の特許文献に開示されているように、通常バッテリはハンドル部の後部付近に装着されている。このバッテリは、取り外して別途用意した充電器で充電することにより繰り返し使用することができる。近年このバッテリには、ケース内に複数本のセルを内装したリチウムイオン式のバッテリ（以下、バッテリパックともいう。）が用いられている。
これらの特許文献に開示された技術によれば、比較的重量の大きなバッテリパックをハンドル部の後部において極力前側へ取り付けることにより重量バランスをよくするための工夫がなされている。
【先行技術文献】
【特許文献】
【０００３】
【特許文献１】特開2010-201598号公報
【特許文献２】特開2008-18498号公報
【特許文献３】特開昭61-8289号公報
【発明の概要】
【発明が解決しようとする課題】
【０００４】
一般に、手持ち式の電動工具となる切断機では、バッテリパックはハンドル部の後部に設けたバッテリ取り付け部に対して前後方向（加工進行方向）にスライドさせて取り付け、取り外しする構成となっている。一方、バッテリパックは、概ね直方体形状をなし、その上面にスライドレールがその長手方向（長辺）に沿って設けられている。このため、バッテリパックはハンドル部の後部に対してその長手方向を加工進行方向に沿わせた縦向きに取り付けられ、その結果ハンドル部の後部の前後方向サイズが大きくなり、その分だけ重量バランスが低下し、またその取り扱い性が低下する問題があった。
本発明は、主としてハンドル部の後部について一層コンパクト化を図り、これにより手持ち式の電動工具となる切断機の取り扱い性を高めることを目的とする。
【課題を解決するための手段】
【０００５】
上記の課題は、下記の発明によって解決される。
第１の発明は、工具本体に、使用者が把持するハンドル部と電源としてのバッテリパックとを備えた手持ち式の切断機であって、前記バッテリパックは、その長手方向を加工進行方向に対して交差させた横向きにして配置され、前記ハンドル部の後部かつ下部に対してスライドさせて取り付け、取り外し可能な切断機である。なお、この加工進行方向は、前記切断機が加工工具にて加工作業するにあたって、該切断機を移動させていく方向と一致する方向である。
第１の発明によれば、通常直方体形状を有するバッテリパックがその長手方向を加工進行方向に対して交差させた横向きに取り付けられることにより、その短手方向をハンドル部の前後方向（工具本体の前後方向）に沿わせた向きに取り付けられることから、ハンドル部の主として後部についてコンパクト化を図ることができ、これによりバッテリパックの重心位置を前側に設定して当該切断機の重量バランスを高め、またその取り扱い性を高めることができる。
第２の発明は、第１の発明において、バッテリパックは、加工進行方向に対して交差する方向にスライドさせて取り付け、取り外し可能な切断機である。
第２の発明によれば、スライド取り付け形式のバッテリパックでは通常その長手方向に沿ってスライドレール部が設けられていることから、その長手方向を加工進行方向に対して交差する方向に沿わせた横向きで、かつ加工進行方向に対して交差する横方向にスライドさせることにより当該バッテリパックが取り付けられ、これによりその短手方向を加工進行方向に沿わせて取り付けられることからハンドル部の後部のコンパクト化を図ることができ、ひいては当該切断機の重量バランスを良くすることができ、またその取り扱い性を高めることができる。
第３の発明は、第１または第２の発明において、切断材に対して載置可能にされるベースと、ベースにより支持される工具本体と、を有した携帯マルノコとして構成され、工具本体は、ベースの上側に配置される駆動部と、駆動部の上側に配置されるハンドル部と、を備え、駆動部は、バッテリパックからの電力により回転駆動力を生じる電動モータと、電動モータの回転駆動軸として構成される第１回転軸と、第１回転軸と一体回転するモータギヤと、モータギヤと噛合する第１減速ギヤと、第１減速ギヤの回転軸として構成される第２回転軸と、第２回転軸と一体回転する第２減速ギヤと、第２減速ギヤと噛合する第３減速ギヤと、第３減速ギヤの回転軸として構成される第３回転軸と、を備え、第１回転軸の配設位置および第３回転軸の配設位置は、ハンドル部が設けられる加工進行方向に沿った範囲に収まるように設定されていることを特徴とする切断機である。
第３の発明によれば、第１回転軸の配設位置および第３回転軸の配設位置は、ハンドル部が設けられる加工進行方向に沿った範囲に収まるように設定されているので、加工進行方向に沿った嵩張りを抑えることができて、コンパクト化を図ることができて、取り扱い性を高めることができる。
【０００６】
第４の発明は、第１または第２の発明において、切断材に対して載置可能にされるベースと、ベースにより支持される工具本体と、を有した携帯マルノコとして構成され、工具本体は、ベースの上側に配置される駆動部と、駆動部の上側に配置されるハンドル部と、を備え、駆動部は、バッテリパックからの電力により回転駆動力を生じる電動モータと、電動モータの回転駆動軸として構成される第１回転軸と、第１回転軸と一体回転するモータギヤと、モータギヤと噛合する第１減速ギヤと、第１減速ギヤの回転軸として構成される第２回転軸と、第２回転軸と一体回転する第２減速ギヤと、第２減速ギヤと噛合する第３減速ギヤと、第３減速ギヤの回転軸として構成される第３回転軸と、を備え、第１回転軸の配設位置および第３回転軸の配設位置は、取り付けられたバッテリパックの重心位置よりも加工進行方向に沿った前側に位置するように設定され、且つハンドル部が設けられる加工進行方向に沿った範囲に収まるように設定されていることを特徴とする切断機である。
第４の発明によれば、第１回転軸の配設位置および第３回転軸の配設位置は、取り付けられたバッテリパックの重心位置よりも加工進行方向に沿った前側に位置するように設定され、且つハンドル部が設けられる加工進行方向に沿った範囲に収まるように設定されているので、加工進行方向に沿った前後バランスを高めた切断機とすることができる。これによって、切断機としての取り扱い性を高めることができる。
第５の発明は、第１または第２の発明において、切断材に対して載置可能にされるベースと、ベースにより支持される工具本体と、を有した携帯マルノコとして構成され、工具本体は、ベースの上側に配置される駆動部と、駆動部の上側に配置されるハンドル部と、を備え、駆動部は、バッテリパックからの電力により回転駆動力を生じる電動モータと、電動モータの回転駆動軸として構成される第１回転軸と、第１回転軸と一体回転するモータギヤと、モータギヤと噛合する第１減速ギヤと、第１減速ギヤの回転軸として構成される第２回転軸と、第２回転軸と一体回転する第２減速ギヤと、第２減速ギヤと噛合する第３減速ギヤと、第３減速ギヤの回転軸として構成される第３回転軸と、を備え、第２回転軸の配設位置は、第１回転軸の配設位置および第３回転軸の配設位置よりも加工進行方向に沿った前側に位置するように設定され、且つハンドル部に設けられる滑り止め被覆部の前端位置よりも加工進行方向に沿った後側に位置するように設定されていることを特徴とする切断機である。
第５の発明によれば、第２回転軸の配設位置は、第１回転軸の配設位置および第３回転軸の配設位置よりも加工進行方向に沿った前側に位置するように設定され、且つハンドル部に設けられる滑り止め被覆部の前端位置よりも加工進行方向に沿った後側に位置するように設定されているので、加工進行方向に沿った前後バランスを、より高めた切断機とすることができる。
【図面の簡単な説明】
【０００７】
【図１】本発明の実施形態に係る切断工具の全体斜視図である。本図は、切断工具を右斜め後方から見た状態を示している。
【図２】バッテリパック単体の斜視図である。
【図３】切断工具の全体平面図である。
【図４】切断工具の全体斜視図である。本図は、切断工具を左斜め前方から見た状態を示している。
【図５】切断工具の後面図である。本図は、バッテリパックを取り付けた状態を示している。
【図６】切断工具の後面図である。本図は、バッテリパックを取り外した状態を示している。
【図７】第２の実施形態の切断工具の側面図である。本図は、切断工具を右側から見た状態を示している。
【図８】図７の切断工具を反対側から見た側面図である。本図は、切断工具を左側から見た状態を示している。
【図９】図７の切断工具の全体平面図である。
【図１０】図９の切断工具の内部の構造を示す内部構造図である。本図は、図７におけるＸ−Ｘ断面矢視を示す切断工具の断面図となっている。
【図１１】図７におけるＸＩ−ＸＩ断面矢視を示す切断工具の断面図である。
【図１２】図７におけるＸＩＩ−ＸＩＩ断面矢視を示す切断工具の断面図である。
【図１３】図９におけるＸＩＩＩ−ＸＩＩＩ断面矢視を示す切断工具の断面図である。
【図１４】図９におけるＸＩＶ−ＸＩＶ断面矢視を示す切断工具の断面図である。
【発明を実施するための形態】
【０００８】
［第１の実施形態］
次に、本発明の第１の実施形態を図１〜図６に基づいて説明する。図示するように本実施形態では、手持ち式の切断機の一例として、いわゆる携帯マルノコと称される切断工具１１を例示する。この切断工具１１は、切断材（図示省略）の上面に当接させる矩形のベース１２と、このベース１２の上面に支持された工具本体１３を備えている。ベース１２の右側部にはサブベース１２１が取り外し可能に設けられている。このサブベース１２１を取り外すことにより、いわゆる際切りの便宜を図ることができる。なお、第１の実施形態の切断工具１１を説明するにあたって、図示のとおりで工具の加工進行方向を前側として説明している。
工具本体１３は、円形の鋸刃１４の上側ほぼ半周を覆うブレードケース１５を備えている。ブレードケース１５の背面側（左側面）には、減速ギヤ部３０を介して電動モータが取り付けられている。この鋸刃１４は、本発明に係る加工工具に相当する。
鋸刃１４の下部側は、ベース１２の下面側に突き出される。この突き出し部分が切断材に切り込まれて切断加工がなされる。鋸刃１４の下部側は可動カバー１８で覆われる。可動カバー１８は、ブレードケース１５に対して回動支持されている。
工具本体１３は、ベース１２の上面前部に設けた上下傾動支軸１６を介してベース１２に対して上下に傾動可能に支持されている。工具本体１３の上下傾動位置を調整することにより、鋸刃１４の、ベース１２の下面からの突き出し寸法であって切断材に対する鋸刃１４の切り込み深さを調整することができる。ブレードケース１５の背面側であって減速ギヤ部３０の後方には、工具本体１３の上下傾動位置を固定するための切り込み深さ固定レバー４５が設けられている。
また、工具本体１３は、ベース１２の上面に同軸に設けた前後２箇所の左右傾動支軸１７，１７を介してベース１２に対して左右に傾動可能に支持されている。
工具本体１３には、使用者が把持するハンドル部４１が設けられている。ハンドル部４１は、減速ギヤ部３０の上部から後方へ山形に延びている。このハンドル部４１は、合わせ面４１１で左右に突き合わされた半割り構造を備えている。なお、このハンドル部４１は、内部が中空構造をなすハンドルハウジング４０により構成される。
このハンドル部４１の下面に、使用者が把持した手の指先で引き操作するトリガ形式のスイッチレバー４２が設けられている。このスイッチレバー４２を引き操作すると、電動モータ（モータハウジング１９の内部に装置される）が起動して鋸刃１４が回転する。また、スイッチレバー４２の上方であってハンドル部４１の左右側部には、スイッチレバー４２をオフ位置にロックするためのロックオフレバー４４が設けられている。
【０００９】
ハンドル部４１の後部には、当該切断工具１１の電源となるバッテリパック６０を取り付けるためのバッテリ取り付け部４３が設けられている。バッテリパック６０は、このバッテリ取り付け部４３に対して左右方向（横方向）にスライドさせることにより取り付け、取り外しすることができる。
本実施形態の場合、図５に示すようにバッテリパック６０をバッテリ取り付け部４３に対して右方向にスライドさせて、当該バッテリパック６０をバッテリ取り付け部４３に取り付けることができる。逆に、図６に示すようにバッテリパック６０をバッテリ取り付け部４３に対して左方向にスライドさせて、当該バッテリパック６０をバッテリ取り付け部４３から取り外すことができる。
バッテリパック６０は、バッテリケース内に複数本のセルを内装した出力電圧１４．４Ｖのリチウムイオンバッテリで、別途用意した充電器で充電することにより繰り返し電源として利用することができる。図２には、このバッテリパック６０が単体で示されている。図示するようにこのバッテリパック６０は、長辺寸法Ｌで短辺寸法Ｓの概ね直方体形状を有している。図示するように長辺寸法Ｌ方向が長手方向で、短辺寸法Ｓ方向が短手方向であるので、以下の説明において、バッテリパック６０の長手方向Ｌ、短手方向Ｓとも称してその向きを区別する。つまり、バッテリパック６０をバッテリ取り付け部４３に対して取り付けたり取り外したりするスライド方向は、加工進行方向に対してほぼ直角方向にて設定されることとなっている。
【００１０】
バッテリパック６０の上面には、一対のスライドレール６１，６１が設けられている。両スライドレール６１，６１は、長手方向Ｌに沿って相互に平行に設けられている。この両スライドレール６１，６１を介して当該バッテリパック６０をバッテリ取り付け部４３に対してスライドさせることにより、当該バッテリパック６０を取り付け、取り外しすることができる。
このことから、バッテリパック６０の長手方向Ｌがバッテリ取り付け部４３に対する取り付け、取り外し方向（スライド方向）であり、この取り付け、取り外し方向は、加工進行方向であってハンドル部４１の半割り構造の合わせ面４１１に直交する左右方向（横方向）であり、また使用者から見て左右方向となる。従って、バッテリパック６０をバッテリ取り付け部４３に取り付けた状態では、このバッテリパック６０の短手方向Ｓがハンドル部４１の延びる方向であって当該切断工具１１の前後方向となる。
両スライドレール６１，６１間には、バッテリ取り付け部４３に対する正極端子６２と負極端子６３と制御信号用のコネクタ接続部６４が設けられている。バッテリパック６０を横方向にスライドさせてバッテリ取り付け部４３に取り付けると、両端子６２，６３とコネクタ接続部６４を介して当該バッテリパック６０がバッテリ取り付け部４３ひいては切断工具１１側に電気的に接続される。
バッテリパック６０の上面端部には、バッテリ取り付け部４３に対する取り付け状態をロックするためのロック爪６５が設けられている。また、図４に示すようにバッテリパック６０の取り外し側の側面には、このロック爪６５を下方へ変位させるための取り外しボタン６６が設けられている。
【００１１】
以上のように構成した第１の実施形態の切断工具１１によれば、ハンドル部４１の後部に設けたバッテリ取り付け部４３に対してバッテリパック６０を横向き（その長手方向Ｌを加工進行方向に対して直交させた向き）で、かつ横方向（加工進行方向に直交する方向）にスライドさせて取り付け、取り外しする構成であることから、取り付け状態ではその短手方向Ｓが切断工具１１の前後に沿った状態となる。
このことから、バッテリ取り付け部４３ひいてはハンドル部４１の後部について、バッテリパックを縦向きに取り付ける構成に比して前後方向のコンパクト化を図ることができ、これにより使用者が把持した際の取り扱い性を良くすることができる。
また、概ね直方体形状のバッテリパック６０がその長手方向Ｌを左右方向に沿わせた横向きに取り付けられる構成であるので、縦向きに取り付ける構成に比してその重心位置を前側（ハンドル部４１のスイッチレバー４２側）へ設定することができ、これにより使用者がハンドル部４１を把持した際の重量バランスを良くすることができ、この点でも当該切断工具１１の取り扱い性を高めることができる。
【００１２】
［第２の実施形態］
次に、第２の実施形態の切断工具１１Ａについて、図７〜図１４に基づいて説明する。この第２の実施形態の切断工具１１Ａも、上記した第１の実施形態の手持ち式の切断工具（切断機）と略同様の、携帯マルノコとして構成される。なお、この第２の実施形態の切断工具１１Ａは、上記した第１の実施形態の切断工具１１と比較してハンドル部４１Ａの構成に関して相違する。このため、以下の第２の実施形態の切断工具１１Ａの説明では、上記した第１の実施形態の切断工具１１と略同一に構成される部分については、上記した第１の実施形態の切断工具１１を説明する際に用いた符号と同一の符号を用いて説明を省略する。
この第２の実施形態の切断工具１１Ａにおいて、上記した第１の実施形態の切断工具１１と僅かに相違して構成される部分については、第１の実施形態の切断工具１１を説明する際に用いた符号に末尾‘Ａ’を付加して、その説明をするものとする。なお、この第２の実施形態の切断工具１１Ａにあっても、図示のとおりで工具の加工進行方向を前側として説明している。
この第２の実施形態の切断工具１１Ａも、電源としてバッテリパック６０が装着され、使用者が把持するハンドル部４１Ａが工具本体１３Ａに設けられる。この第２の実施形態の切断工具１１Ａも、上記した第１の実施形態と同様、切断材に対して載置可能にされるベース１２と、ベース１２により支持される工具本体１３Ａとを有する。工具本体１３Ａは、ベース１２の上側に配置される駆動部２０を備える。この駆動部２０の上側には、ハンドル部４１Ａが設けられる。ハンドル部４１Ａは、内部が中空構造をなすハンドルハウジング４０Ａにより構成される。なお、ハンドルハウジング４０Ａは、合成樹脂にて成形される。なお、ハンドル部４１Ａの下側には、使用者が手で握る際の手握り空間（符号５０）が設けられている。
【００１３】
ところで、図７等に示すように、ハンドル部４１Ａの使用者が手で触る部分には、滑り止め被覆部５１が設けられている。この滑り止め被覆部５１は、滑り止め機能を発揮させるために、例えば熱可塑性エラストマー（ＴＰＥ）より形成される。つまり、滑り止め被覆部５１は、この切断工具１１Ａのうち、この手握りの滑り止めを発揮したい部分に設けられている。なお、このエラストマーより形成される滑り止め被覆部５１は、ハンドル部４１Ａに一体成形されている。図７等に示すように、滑り止め被覆部５１が設けられる範囲（符号５４）は、ハンドル部４１Ａの手握り空間（符号５０）よりも前および後に延長された範囲に亘っている。つまり、滑り止め被覆部５１の前端５２は、ハンドル部４１Ａの下側の手握り空間（符号５０）の前端よりも前側に設定されている。また、滑り止め被覆部５１の後端５３は、ハンドル部４１Ａの下側の手握り空間（符号５０）の後端よりも後側に設定されている。このようにして、滑り止め被覆部５１の前端５２から後端５３の範囲（符号５４）は、ハンドル部４１Ａの手握り空間（符号５０）よりも長く設定されている。なお、この滑り止め被覆部５１のうち、前端５２に近接する範囲には、この滑り止め被覆部５１の外周を区画するように切り欠き溝５５が設けられている。また、この滑り止め被覆部５１を形成するエラストマーは、滑り止め機能を発揮する被覆例の一つの例に過ぎず、適宜の合成樹脂により形成されるものであってよい。
【００１４】
駆動部２０は、電動モータ２１と、減速ギヤ部３０とを備える。電動モータ２１は、ブラシレスモータにて構成され、バッテリパック６０から電力が供給されて回転駆動力を生ずる。すなわち、電動モータ２１は、磁化される固定子２２と、永久磁石の回転子２３とを備える。固定子２２は、供給された電力により磁束を発生させて回転子２３が回転するように作用する。回転子２３には、回転子２３の回転駆動軸となるモータ軸２４が一体に設けられている。このモータ軸２４は、本発明に係る第１回転軸に相当する。モータ軸２４は、モータハウジング１９に支持されるベアリング２５とブレードケース１５により支持されるベアリング２６により回転可能に支持されている。このベアリング２５，２６は、双方ともボールベアリングにて構成されている。このモータ軸２４には、冷却ファン２７とピニオンギヤ２８とが、モータ軸２４と一体で回転するように取り付けられている。このピニオンギヤ２８は、本発明に係るモータギヤに相当する。冷却ファン２７は、遠心ファンにて構成される。この冷却ファン２７は、図１０に図示する符号Ｗ（冷却風）のように、モータ軸２４と一体回転することにより、吸気孔４７から工具本体１３Ａの内部に外気が吸引され、熱を持った固定子２２を冷却するように送られる。なお、このように固定子２２を冷却した後の冷却風Ｗは、ブレードケース１５側に向けて排気風として送られる。ピニオンギヤ２８は、モータ軸２４の右端に設けられている。このピニオンギヤ２８は、モータ軸２４の外周面にて形成される。このピニオンギヤ２８は、次に説明する中間駆動ギヤ３１に噛合されるようになっており、電動モータ２１により発生させた回転駆動力を、減速ギヤ部３０に向けて伝達する。
【００１５】
減速ギヤ部３０は、平歯車にて輪列されるギヤ構造をなし、上記したモータ軸２４の回転を減速させる。すなわち、減速ギヤ部３０は、輪列されて互いに噛合する２組の平歯車の噛合構造を有して構成される。
この減速ギヤ部３０は、概略、中間駆動ギヤ３１と、中間軸３２と、中間従動ギヤ３２１と、出力ギヤ３５と、出力軸３６とを備える。中間駆動ギヤ３１は、上記したピニオンギヤ２８と噛合する。この中間駆動ギヤ３１は、中間軸３２を回転軸として回転支持されている。この中間軸３２は、ベアリング３３，３４にて回転可能に支持されている。なお、これらのベアリング３３，３４は、ハンドルハウジング４０Ａと一体に形成されるギヤハウジング３０１にて固定支持され、双方ともにボールベアリングにて構成されている。
中間軸３２には中間従動ギヤ３２１が一体回転可能に設けられている。つまり、中間軸３２には、左側に中間駆動ギヤ３１が一体回転するように設けられており、右側に中間従動ギヤ３２１が一体回転するように設けられている。この中間従動ギヤ３２１は、中間駆動ギヤ３１と比較して小径に構成される。この中間従動ギヤ３２１は、出力ギヤ３５と噛合している。この出力ギヤ３５は、出力軸３６を回転軸として構成されている。この出力軸３６は、ギヤハウジング３０１にて固定支持されるベアリング３７，３８にて回転可能に支持されている。これらのベアリング３７，３８については、後に詳述する。
この出力軸３６は、その右端がブレードケース１５の内部に突き出される出力軸として構成される。出力軸３６の右端には、鋸刃１４を保持するための保持部３９が設けられている。この保持部３９は、適宜の挟持構造により取り付けられて鋸刃１４を保持する。つまり、出力軸として機能する出力軸３６は、電動モータ２１により生ずる回転駆動力を受けるにあたって、中間駆動ギヤ３１と出力ギヤ３５とにより２段で減速されて受けていることとなる。なお、中間駆動ギヤ３１は、本発明に係る第１減速ギヤに相当する。中間軸３２は、本発明に係る第２回転軸に相当する。中間従動ギヤ３２１は、本発明に係る第２減速ギヤに相当する。出力ギヤ３５は、本発明に係る第３減速ギヤに相当する。出力軸３６は本発明に係る第３回転軸に相当する。
【００１６】
ところで、出力軸３６は、内側支持ベアリング３７と、外側支持ベアリング３８とにより回転可能に支持されている。なお、外側支持ベアリング３８は、出力軸３６のうち、鋸刃１４が取り付けられる側を支持する。内側支持ベアリング３７は、ニードルベアリング（針状ころ）にて構成されている。これに対して、外側支持ベアリング３８は、２つのボールベアリング３８１，３８２にて構成されている。この２つのボールベアリング３８１，３８２は、互いに隣接するように並べられて配置されている。つまり、出力軸３６は、ニードルベアリングにて構成される１つの内側支持ベアリング３７と、２つのボールベアリング３８１，３８２にて構成される外側支持ベアリング３８との、合計３つのベアリングを有する構造により回転可能に支持されている。これら３つのベアリング３７，３８１，３８２は、上記したハウジング４０Ａにて支持されている。なお、この外側支持ベアリング３８が配置される鋸刃１４が取り付け側は、本発明に係る出力軸の一端側に相当する。また、この反対側となる内側支持ベアリング３７が配置される側は、本発明に係る出力軸の他端側に相当する。このように出力軸３６は、内側支持ベアリング３７と外側支持ベアリング３８（３８１，３８２）とにより、回転が支持されることとなる。ここで、内側支持ベアリング３７と外側支持ベアリング３８とが出力軸３６を支持するために、この出力軸３６に対して接触する軸の長さが相違するようになっている。すなわち、外側支持ベアリング３８（３８１，３８２）が支持する出力軸３６に対して接触する軸方向の長さ（図示符号３８０）は、内側支持ベアリング３７が支持する出力軸３６に対して接触する軸方向の長さ（図示符号３７０）よりも、長くなるように設定されている。具体的には、互いに隣接するボールベアリング３８１，３８２のそれぞれが接触する出力軸３６の軸方向の長さの合算量（図示符号３８０）は、内側支持ベアリング３７が接触する出力軸３６の軸方向の長さ（図示符号３７０）に比して僅かに長くなっている。なお、この内側支持ベアリング３７はニードルベアリングにて構成されている。このため、２つのボールベアリング３８１，３８２が並列されて構成される外側支持ベアリング３８の軸方向の長さ（図示符号３８０）は、この内側支持ベアリング３７の軸方向の長さ（図示符号３７０）と略同一の長さと言ってもよいほど、両者は近似した長さに設定されている。
【００１７】
ところで、モータ軸２４、中間軸３２、出力軸３６が配置される、この工具本体１３Ａにおける加工進行方向に沿った前後方向の位置関係にあっては次のように設定されている。すなわち、上記したモータ軸２４の前後方向の配設位置（Ｐ１）は、図７に示すように、ハンドル部４１Ａの手握り空間（符号５０）の範囲内に収まるように設定されている。また、出力軸３６の前後方向の配設位置（Ｐ３）も、図７に示すように、ハンドル部４１Ａの手握り空間（符号５０）の範囲内に収まるように設定されている。なお、このモータ軸２４と出力軸３６とは、上下方向でずらされて設定されているだけで、前後方向の配設位置（Ｐ１，Ｐ３）が一致するものとなっている。つまり、モータ軸２４および出力軸３６の前後方向の配設位置（Ｐ１，Ｐ３）は、工具本体１３Ａの前後方向に対してハンドル部４１Ａが配設範囲内に収まっている。さらに言えば、モータ軸２４と出力軸３６との前後方向の配設位置（Ｐ１，Ｐ３）は、第１の実施形態で説明したバッテリ取り付け部４３に取り付けられたバッテリパック６０の重心位置６００よりも、前側に位置するように設定されている。
これに対して、中間軸３２の前後方向の配設位置（Ｐ２）にあっては、モータ軸２４および出力軸３６の配設位置（Ｐ１，Ｐ３）よりも前側に位置するように設定されている。また、この中間軸３２の前後方向の配設位置（Ｐ２）は、図７に示すように、ハンドル部４１Ａの手握り空間（符号５０）の範囲から、前側に食み出て位置するように設定されている。さらに、中間軸３２の前後方向の配設位置（Ｐ２）は、ハンドル部４１Ａに設けられる滑り止め被覆部５１の前端５２の位置よりも後側に位置するように設定されている。さらに言えば、中間軸３２の前後方向の配設位置（Ｐ２）は、モータ軸２４および出力軸３６の配設位置（Ｐ１，Ｐ３）と、ハンドル部４１Ａに設けられる滑り止め被覆部５１の前端５２の位置との、略中間の位置に位置するように設定されている。なお、この中間軸３２の上下方向の配設位置は、モータ軸２４の配設位置と出力軸３６の配設位置との、略中間の位置に位置するように設定されている。
【００１８】
また、上記したハンドル４１Ａの内部には、図示するように、電動モータ２１の回転駆動に関しての制御を行うコントローラ部品５６が配設されている。このコントローラ部品５６は、ベース体５７に対して各種の電装部品が支持される。このベース体５７を含むコントローラ部品５６は、ハンドル４１Ａにて支持されている。詳しくは、コントローラ部品５６をなすベース体５７が、ハンドル４１Ａにより支持されている。この電装部品には、電動モータ２１に供給される電力を調整する機能を有する。具体的には、ケースボックスに内装される電装部品として、通常使用において電動モータ２１に供給される電力を調整する通常コントローラのほか、所定の条件により自動的に電源オフとするＡＳ（オートストップ）コントローラが、含まれている。このＡＳコントローラは、上記したバッテリ取り付け部４３に取り付けられたバッテリパック６０が過放電状態になったり、あるいは、このバッテリパック６０が過電流状態となったりした場合に、電動モータ２１に供給される電力を強制オフにするように制御する。
ところで、このコントローラ部品５６が工具本体１３Ａの内部に配置される位置としては、次のようになっている。すなわち、図１０に示すように、このコントローラ部品５６は、コントローラ部品５６の構造の延在する面が、上記した冷却ファン２７の遠心外周側に位置するように、工具本体１３Ａの内部に装置されている。このため、冷却ファン２７により送られる冷却風Ｗの一部は、コントローラ部品５６に当たるようになっている。つまり、このコントローラ部品５６は、電動モータ２１を冷却する冷却ファン２７の排気風の通り道に配置されるようになっている。また、このコントローラ部品５６の工具本体１３Ａの内部の設置は、コントローラ部品５６の短手方向を加工進行方向（前後方向）に沿わせることによって配置決めされている。また、このコントローラ部品５６は、電動モータ２１に対して加工進行方向の後側に配置されており、バッテリ取り付け部４３に対して加工進行方向の前側に配置されている。
【００１９】
上記した第２の実施形態の切断工具１１Ａによれば、次の作用効果を奏することができる。すなわち、上記した切断工具１１Ａによれば、モータ軸２４と出力軸３６との配設位置は、ハンドル部４１Ａが設けられる加工進行方向に沿った範囲に収まるように設定されているので、加工進行方向に沿った嵩張りを抑えることができて、コンパクト化を図ることができて、取り扱い性を高めることができる。また、上記した切断工具１１Ａによれば、モータ軸２４と出力軸３６との配設位置は、取り付けられたバッテリパック６０の重心位置６００よりも加工進行方向に沿った前側に位置するように設定され、且つハンドル部４１Ａが設けられる加工進行方向に沿った範囲に収まるように設定されているので、加工進行方向に沿った前後バランスを高めた切断工具１１Ａとすることができる。これによって、切断工具１１Ａとしての取り扱い性を高めることができる。また、上記した切断工具１１Ａによれば、中間軸３２の配設位置は、モータ軸２４と出力軸３６との配設位置よりも加工進行方向に沿った前側に位置するように設定され、且つハンドル部４１Ａに設けられる滑り止め被覆部５１の前端５２位置よりも加工進行方向に沿った後側に位置するように設定されているので、加工進行方向に沿った前後バランスを、より高めた切断工具１１Ａとすることができる。
【００２０】
また、上記した切断工具１１Ａによれば、コントローラ部品５６は、コントローラ部品５６の構造の延在する面が、冷却ファン２７の遠心外周側に配置されるように、工具本体１３Ａの内部に設置されている。これによって、冷却ファン２７から吹き出された排気風を、コントローラ部品５６の構造の延在する面に当てることができ、この排気風によりコントローラ部品５６を冷却する効果を狙うことができる。したがって、従前より装置される冷却ファン２７を利用することにより内蔵されるコントローラ部品５６の冷却を確保できつつ、手持ち式の切断工具１１Ａとして小型化を図ることができる。また、上記した切断工具１１Ａによれば、コントローラ部品５６は電動モータ２１に対して加工進行方向における後側に配置されているので、切断工具１１Ａの加工進行方向の嵩張りを減らすことができる。これによって、加工作業がし易い切断工具１１Ａとすることができる。また、上記した切断工具１１Ａによれば、コントローラ部品５６の設置は、コントローラ部品５６の短手方向を加工進行方向に沿わせることによって配置決めされているので、内蔵するコントローラ部品５６の嵩張りを加工進行方向に沿わせないようにできる。これによって、切断工具１１Ａの加工進行方向の嵩張りを減らすことができて、加工作業がし易い切断工具１１Ａとすることができる。
【００２１】
また、上記した切断工具１１Ａによれば、出力軸３６は３つのベアリング３７，３８１，３８２により回転が支持されているので、出力軸３６の回転を支持するにあたって２つのベアリングで回転を支持するに比して回転する軸心を安定的に保持することができる。これによって、手持ち式の切断工具１１Ａとしての小型化を図りながら、ベアリングによる回転支持の精度を向上させることができる。また、上記した切断工具１１Ａによれば、出力軸３６のうち鋸刃１４が取り付けられる側に２つのボールベアリング３８１，３８２が並べられて配置されているので、鋸刃１４が取り付けられる側に重きを置いて回転支持の精度を向上させることができる。また、上記した切断工具１１Ａによれば、出力軸３６は電動モータ２１の回転駆動力を受けるにあたり、２段で減速されて受けているので、減速によるトルク向上を図りながら、回転支持の精度を向上させることができる。また、上記した切断工具１１Ａによれば、外側支持ベアリング３８（３８１，３８２）が支持するために接触する出力軸３６の軸の長さは、内側支持ベアリング３７が支持するために接触する出力軸３６の軸の長さに比して長く設定されているので、鋸刃１４が取り付けられる側に重きを置いて回転支持の精度を向上させることができる。
【００２２】
以上説明した実施形態は種々変更を加えることができる。例えば、バッテリパック６０の長手方向Ｌに沿ってスライドレール６１，６１を設け、このスライドレール６１，６１を介して横スライドさせることによりバッテリパック６０を横向きに取り付ける構成を例示したが、スライドレールを短手方向Ｓに沿って設け、この短手方向Ｓのスライドレールを介してバッテリパックを縦スライドさせることにより横向きに取り付ける構成としてもよい。係る構成によってもバッテリパックがその短手方向Ｓを加工進行方向に沿わせた横向きに取り付けられることから、ハンドル部後部について前後方向のコンパクト化を図ることができる。
また、例示した実施形態では、バッテリパック６０の長手方向Ｌを加工進行方向に直交させた方向を横向きとし、かつそのスライド方向を加工進行方向に直交させた方向を横方向とする構成を例示したが、加工進行方向に対して精確に直交させた方向に限らず適度な範囲で傾斜させた方向（交差方向）を横向き若しくは横方向とする構成であってもよい。
【００２３】
また、上記した実施形態では、３つのベアリング３７，３８１，３８２により出力軸３６の回転を支持するようにした構成を例示したが、本発明に係るベアリングとしては３つ以上となる４つや５つで出力軸の回転を支持するものであってもよい。また、上記した実施形態では、２つのボールベアリング３８１，３８２にて構成される外側支持ベアリング３８と、１つのニードルベアリングにて構成される内側支持ベアリング３７とにより、出力軸３６の回転を支持するようにしてある。しかしながら、本発明に係るベアリングとしては、全てボールベアリングにて構成されるものであってもよく、適宜のベアリングを選択することができる。なお、加工工具が取り付けられる側のベアリングは、小さく構成されるボールベアリングであることが望ましい。また、ベアリングの配置個数についても、必ずしも加工工具が取り付けられる側についてを相対的に多く配置することに限定されることなく、加工工具が取り付けられる側と反対側についてを相対的に多く配置するようにしてもよい。また、上記した実施形態では、電動モータ２１による回転駆動力を２段（中間駆動ギヤ３１、出力ギヤ３５）で減速するように構成していたが、この回転駆動力を３段や４段で減速するように構成してもよい。
また、上記したコントローラ部品５６は、過放電状態や過電流状態に対して電動モータ２１を強制オフとする、いわゆるＡＳ（オートストップ）コントローラに関する制御を主に行うものであった。しかしながら、本発明に係るコントローラ部品としては、これに限定されることなく、広い意味で電動モータの回転駆動に関しての制御を行うものであればいよいものである。
さらに、電動工具および切断機の一例として携帯マルノコを称される切断工具を例示したが、ジグソーやチェーンソー等のその他の切断工具、あるいは石材等の研削加工に用いるディスクグラインダ、木材等の端縁加工や溝切り加工に用いるトリマ、ルーター等の各種の切断機に適用することができる。
【符号の説明】
【００２４】
１１，１１Ａ…切断工具（電動工具、切断機）
１２…ベース
１２１…サブベース
１３，１３Ａ…工具本体
１４…鋸刃（加工工具）
１５…ブレードケース
１６…上下傾動支軸
１７…左右傾動支軸
１８…可動カバー
１９…モータハウジング
２０…駆動部
２１…電動モータ
２２…固定子
２３…回転子
２４…モータ軸（第１回転軸）
２５，２６…ベアリング
２７…冷却ファン
２８…ピニオンギヤ（モータギヤ）
３０…減速ギヤ部
３０１…ギヤハウジング
３１…中間駆動ギヤ（第１減速ギヤ）
３２…中間軸（第２回転軸）
３２１…中間従動ギヤ（第２減速ギヤ）
３３，３４…ベアリング
３５…出力ギヤ（第３減速ギヤ）
３６…出力軸（第３回転軸）
３７…内側支持ベアリング
３７０…内側支持ベアリングの接触支持範囲
３８…外側支持ベアリング
３８０…外側支持ベアリングの接触支持範囲
３８１，３８２…ボールベアリング
３９…保持部
４０，４０Ａ…ハウジング
４１，４１Ａ…ハンドル部
４１１…合わせ面
４２…スイッチレバー
４３…バッテリ取り付け部
４４…ロックオフレバー
４５…固定レバー
４７…吸気孔
５０…手握り空間
５１…滑り止め被覆部
５２…滑り止め被覆部の前端
５３…滑り止め被覆部の後端
５４…滑り止め被覆部の配設範囲
５５…切り欠き溝
５６…コントローラ部品
５７…ベース体
６０…バッテリパック
６００…バッテリパックの重心位置
６１…スライドレール
６２…正極端子
６３…負極端子
６４…コネクタ接続部
６５…ロック爪
６６…取り外しボタン
Ｌ…長辺寸法（長手方向）
Ｓ…短辺寸法（短手方向）
【図１】
2014079812.tif 000003
【図２】
2014079812.tif 000004
【図３】
2014079812.tif 000005
【図４】
2014079812.tif 000006
【図５】
2014079812.tif 000007
【図６】
2014079812.tif 000008
【図７】
2014079812.tif 000009
【図８】
2014079812.tif 000010
【図９】
2014079812.tif 000011
【図１０】
2014079812.tif 000012
【図１１】
2014079812.tif 000013
【図１２】
2014079812.tif 000014
【図１３】
2014079812.tif 000015
【図１４】
2014079812.tif 000016